(57)【要約】画像ディスプレイが、開示される。画像ディスプレイは、画像支持部と、複数の折曲可能区分とを含んでもよい。各折曲可能区分は、画像支持部に回転可能に結合され、かつ画像支持部と係止するように構成される第１の区画と、第１の区画に回転可能に結合され、かつ第１の区画と係止するように構成される第２の区画とを有してもよい。画像ディスプレイは、開放構成と、組み立てられた構成とを有してもよい。画像支持部、第１の区画、および第２の区画の表示面は、圧潰された構成において、同一平面上にあってもよい。画像支持部および第２の区画の表示面は、組み立てられた構成において、第１の区画の表示面に対して垂直であってもよい。
2021515251.tif 000002
【特許請求の範囲】
【請求項１】
画像ディスプレイであって、
画像支持区分と、
複数の折曲可能区分であって、各折曲可能区分は、
前記画像支持区分に回転可能に結合され、かつ前記画像支持区分と係止するように構成される第１の区画と、
前記第１の区画に回転可能に結合され、かつ前記第１の区画と係止するように構成される第２の区画と
を備える、複数の折曲可能区分と
を備え、前記画像ディスプレイは、第１の構成と、第２の構成とを有し、
前記第１の構成において、前記画像支持区分、前記複数の折曲可能区分の各第１の区画、および前記複数の折曲可能区分の各第２の区画は、同一平面上にあり、
前記第２の構成において、前記画像支持区分、前記複数の折曲可能区分の各第１の区画、および前記複数の折曲可能区分の各第２の区画は、非平面状であり、前記複数の折曲可能区分の各第１の区画は、前記画像支持区分に係止され、前記複数の折曲可能区分の各第２の区画は、前記複数の折曲可能区分のそれぞれの第１の区画に係止される、
画像ディスプレイ。
【請求項２】
前記第２の構成において、各第１の区画は、前記画像支持区分および各第２の区画に対して垂直である、請求項１に記載の画像ディスプレイ。
【請求項３】
各第１の区画は、長方形であり、各第２の区画は、台形である、請求項２に記載の画像ディスプレイ。
【請求項４】
前記画像支持部上に形成された格子構造であって、前記画像ディスプレイアセンブリの堅性を向上させるように構成される、格子構造をさらに備える、請求項１に記載の画像ディスプレイ。
【請求項５】
組み立てられた構成において、各第１の区画は、前記画像支持部とのスナップフィット接続を形成し、各第２の区画は、前記第１の区画のうちの１つとスナップフィット接続を形成する、請求項１に記載の画像ディスプレイ。
【請求項６】
前記画像支持区分および前記複数の折曲可能区分は、射出成型プロセスによって形成される、請求項１に記載の画像ディスプレイ。
【請求項７】
画像媒体であって、前記第２の構成において、前記画像支持区分および折曲可能区分の周囲に巻着する、画像媒体をさらに備える、請求項１に記載の画像ディスプレイ。
【請求項８】
前記画像媒体は、前記第２の構成において、緊張されている、請求項７に記載の画像ディスプレイ。
【請求項９】
前記画像媒体は、前記複数の折曲可能区分の各第２の区画に結合される、請求項７に記載の画像ディスプレイ。
【請求項１０】
前記画像支持部は、空隙を画定する、請求項１に記載の画像ディスプレイ。
【請求項１１】
前記第１の区画は、リビングヒンジによって前記画像支持部に回転可能に結合され、前記第２の区画は、リビングヒンジによって前記第１の区画に回転可能に結合される、請求項１に記載の画像ディスプレイ。
【請求項１２】
画像ディスプレイであって、
画像支持区分と、
複数の折曲可能区分であって、各折曲可能区分は、前記画像支持区分に回転可能に結合され、かつ前記画像支持区分と係止するように構成される第１の区画と、前記第１の区画に回転可能に結合され、かつ前記第１の区画と係止するように構成される第２の区画とを有する、複数の折曲可能区分と、
前記画像支持区分と、前記複数の折曲可能区分のうちの１つとのうちの少なくとも１つに結合される、画像媒体と
を備える画像ディスプレイ。
【請求項１３】
前記画像媒体は、各折曲可能区分に結合される、請求項１２に記載の画像ディスプレイ。
【請求項１４】
前記画像媒体は、前記第１の区画および第２の区画が係止されるときに前記ディスプレイアセンブリの周囲に巻着する、請求項１２に記載の画像ディスプレイ。
【請求項１５】
各第１の区画および第２の区画は、スナップフィット接続を使用して係止するように構成される、請求項１２に記載の画像ディスプレイ。
【請求項１６】
前記複数の折曲可能区分のうちの１つは、前記画像支持部の外側部分に結合される、請求項１２に記載の画像ディスプレイ。
【請求項１７】
前記画像媒体に係合し、前記画像媒体を前記ディスプレイアセンブリに固着させるように構成される媒体結合体をさらに備える、請求項１２に記載の画像ディスプレイ。
【請求項１８】
前記画像媒体は、接着剤を使用することなく、前記画像支持区分と、前記複数の折曲可能区分のうちの１つとのうちの少なくとも１つに結合される、請求項１２に記載の画像ディスプレイ。
【請求項１９】
さらに、
前記画像ディスプレイは、圧潰された構成と、組み立てられた構成とを有し、
前記組み立てられた構成において、前記第１の区画は、前記画像支持部と係止され、前記第２の区画は、前記第１の区画と係止され、
前記圧潰された構成における前記画像ディスプレイの厚さは、前記組み立てられた構成における前記画像ディスプレイの厚さの半分未満である、
請求項１２に記載の画像ディスプレイ。
【請求項２０】
画像ディスプレイを組み立てる方法であって、
画像媒体を複数の折曲可能区分に結合することであって、各折曲可能区分は、画像支持区分から延在する、ことと、
各折曲可能区分を、前記画像支持区分に対して回転させることと、
各折曲可能区分を、前記画像支持区分に対して回転可能に係止することと
を含む、方法。
【発明の詳細な説明】
【技術分野】
【０００１】
（関連出願への相互参照および参照による援用）
本願は、２０１８年２月２８日に出願された米国仮特許出願第６２／６３６，２８２号に対する優先権を主張し、それに対する参照によって、その全体が本明細書に援用される。
【０００２】
（分野）
説明される実施形態は、概して、画像ディスプレイに関する。
【発明の概要】
【課題を解決するための手段】
【０００３】
（概要）
ある実施形態によると、画像ディスプレイは、画像支持区分を含む。画像ディスプレイはまた、複数の折曲可能区分を含んでもよい。各折曲可能区分は、複数の区画から成ってもよい。いくつかの実施形態では、各折曲可能区分は、画像支持区分に回転可能に結合され、かつそれと係止するように構成される、第１の区画と、第１の区画に回転可能に結合され、かつそれと係止するように構成される、第２の区画とを有してもよい。いくつかの実施形態では、画像ディスプレイは、第１の構成と、第２の構成とを有する。第１の構成において、画像支持区分、複数の折曲可能区分の第１の区画のそれぞれ、および複数の折曲可能区分の第２の区画のそれぞれは、同一平面上にある。第２の構成において、複数の折曲可能区分の第１の区画のそれぞれ、および複数の折曲可能区分の第２の区画のそれぞれは、非平面状である。第２の構成において、複数の折曲可能区分の各第１の区画は、画像支持区分に係止され、各第２の区画は、第１の区画のうちの１つに係止される。
【０００４】
画像ディスプレイアセンブリの第１の区画はそれぞれ、長方形であってもよく、画像ディスプレイアセンブリの第２の区画はそれぞれ、台形であってもよい。いくつかの実施形態によると、格子構造が、画像支持部上に形成されてもよい。格子構造は、画像ディスプレイアセンブリの堅性を向上させ得る。
【０００５】
第１の区画はそれぞれ、スナップフィット接続を使用して、画像支持部と係止するように構成されてもよい。加えて、第２の区画もそれぞれ、スナップフィット接続を使用して、第１の区画のうちの１つと係止するように構成されてもよい。
【０００６】
いくつかの実施形態では、画像ディスプレイアセンブリの一部は、射出成型プロセスを使用して形成される。例えば、画像支持部および複数の折曲可能区分は、射出成型プロセスから作製されてもよい。いくつかの実施形態によると、画像ディスプレイアセンブリは、画像媒体を含んでもよい。画像媒体は、画像支持部および折曲可能区分の周囲に巻着してもよい。画像媒体は、画像媒体が画像ディスプレイ上に緊張して引張されるように、画像支持部または折曲可能区分の一部に取り付けられてもよい。いくつかの実施形態では、画像支持部は、空隙を画定してもよい。画像媒体は、本空隙を横断して伸展してもよい。
【０００７】
いくつかの実施形態による画像ディスプレイは、ディスプレイアセンブリを含む。ディスプレイアセンブリは、画像支持部と、複数の折曲可能区分とを有する。折曲可能区分はそれぞれ、画像支持部に回転可能に結合され、かつそれと係止するように構成される、第１の区画を含んでもよい。折曲可能区分はそれぞれまた、第１の区画に回転可能に結合され、かつそれと係止するように構成される、第２の区画を有してもよい。画像媒体は、ディスプレイアセンブリ結合されてもよい。いくつかの実施形態では、画像媒体は、折曲可能区分のうちの１つまたは複数のものに結合されてもよい。画像媒体は、折曲可能区分の第２の区画に結合されてもよい。
【０００８】
いくつかの実施形態では、各第１の区画は、第１の取付角度が第１の閾値角度未満であるとき、画像支持部と係止するように構成されてもよい。各第２の区画は、第２の取付角度が第２の閾値角度未満であるとき、第１の区画と係止するように構成されてもよい。第１および第２の区画は、スナップフィット接続を使用して係止されてもよい。いくつかの実施形態では、第１および第２の区画は、解放可能に係止されてもよい。第１および第２の区画が係止されると、画像媒体は、ディスプレイアセンブリの周囲に巻着してもよい。第１の区画は、リビングヒンジによって画像支持部に回転可能に結合され、第２の区画は、リビングヒンジによって第１の区画に回転可能に結合される。
【０００９】
いくつかの実施形態によると、折曲可能区分のうちの１つは、画像支持部の両側に結合される。画像媒体は、いくつかの方法でディスプレイアセンブリに結合されてもよい。例えば、画像媒体は、ディスプレイアセンブリ上の画像媒体支持部と噛合するように構成される部分を有してもよい。いくつかの実施形態では、接着剤が、ディスプレイアセンブリに適用されてもよい。画像媒体は、接着剤によってディスプレイアセンブリに結合されてもよい。いくつかの実施形態では、接着剤は、ディスプレイアセンブリの折曲可能区画に適用される。いくつかの実施形態では、接着剤は、ディスプレイアセンブリの折曲可能区画のみに適用される。
【００１０】
いくつかの実施形態では、画像ディスプレイは、開放構成と、組み立てられた構成とを有してもよい。圧潰された構成において、第１の区画は、画像支持部に係止されなくてもよく、第２の区画は、第１の区画に係止されなくてもよい。組み立てられた構成において、第１の区画は、画像支持部に係止され、第２の区画は、第１の区画に係止される。
【００１１】
画像ディスプレイが、開放構成と、組み立てられた構成とを有する、いくつかの実施形態では、圧潰された構成における画像ディスプレイの厚さは、組み立てられた構成における画像ディスプレイの厚さ未満である。いくつかの実施形態では、圧潰された構成の厚さは、組み立てられた構成における画像ディスプレイの厚さの半分未満である。
【００１２】
いくつかの実施形態による画像ディスプレイは、モジュール式の画像ディスプレイアセンブリであってもよい。モジュール式の画像ディスプレイアセンブリは、画像支持部と、画像支持部に結合される複数の区分とを有してもよい。複数の区分はそれぞれ、画像支持部に対して係止される配向を有してもよい。複数の区分はそれぞれ、画像支持部に堅性に結合されなくてもよい。
【００１３】
いくつかの実施形態では、画像ディスプレイは、画像支持区分と、複数の折曲可能区分とを備える。各折曲可能区分は、画像支持区分に回転可能に結合され、かつそれと係止するように構成される、第１の区画と、第１の区画に回転可能に結合され、かつそれと係止するように構成される、第２の区画とを有してもよい。いくつかの実施形態では、画像ディスプレイは、画像支持区分と、複数の折曲可能区分のうちの１つとのうちの少なくとも１つに結合される、画像媒体を含む。
【００１４】
いくつかの実施形態では、複数の折曲可能区分のうちの１つは、画像支持部の外側部分に結合される。媒体結合体が、画像ディスプレイから延在してもよい。媒体結合体は、画像媒体に係合し、画像媒体を画像ディスプレイに固着させるように構成されてもよい。いくつかの実施形態によると、画像媒体は、接着剤を使用することなく、画像ディスプレイに結合されてもよい。
【００１５】
いくつかの実施形態によると、画像ディスプレイは、圧潰された構成と、組み立てられた構成とを有してもよい。組み立てられた構成において、第１の区画は、画像支持部と係止され、第２の区画は、第１の区画と係止される。いくつかの実施形態によると、圧潰された構成における画像ディスプレイの厚さは、組み立てられた構成における画像ディスプレイの厚さの半分未満である。
【００１６】
いくつかの実施形態に従って画像ディスプレイを組み立てる方法は、画像媒体を複数の折曲可能区分に結合するステップを含んでもよい。各折曲可能区分は、画像支持区分から延在してもよい。各折曲可能区分は、画像支持区分に対して回転されてもよい。各折曲可能区分は、次いで、画像支持区分に対して回転可能に係止されてもよい。
【図面の簡単な説明】
【００１７】
本開示は、同様の参照番号が同様の構造要素を示す添付図面と併せて、以下の詳細な説明によって、容易に理解されるであろう。
【００１８】
【図１】図１は、組み立てられた構成における、画像ディスプレイアセンブリを示す。
【００１９】
【図２】図２は、圧潰された構成における、画像ディスプレイアセンブリを示す。
【００２０】
【図３】図３は、図２の画像ディスプレイアセンブリの正面図を示す。
【００２１】
【図４】図４は、画像媒体の正面図を示す。
【００２２】
【図５】図５は、部分的に組み立てられた構成における、画像ディスプレイアセンブリの背上面斜視図を示す。
【００２３】
【図６】図６は、線６−６’において得られる、画像ディスプレイアセンブリの部分断面図を示す。
【００２４】
【図７】図７は、一実施形態による、画像ディスプレイアセンブリの部分断面図を示す。
【００２５】
【図８】図８は、組み立てられた画像ディスプレイアセンブリの背面斜視図を示す。
【００２６】
【図９】図９は、圧潰された構成における、画像ディスプレイ上の画像媒体の正面図を示す。
【００２７】
【図１０】図１０は、組み立てられた構成における、図９の画像ディスプレイ上の画像媒体の正面斜視図を示す。
【００２８】
【図１１】図１１は、一実施形態による、結合プレートを有する画像ディスプレイアセンブリの部分断面図を示す。
【００２９】
【図１２】図１２は、一実施形態による、画像媒体を画像ディスプレイに結合するために使用される、結合プレートの側面図を示す。
【００３０】
【図１３】図１３は、一実施形態による、図１２の結合プレートの平面図を示す。
【発明を実施するための形態】
【００３１】
（詳細な説明）
ここで、添付図面内に図示される代表的な実施形態が、詳細に参照されるであろう。以下の説明は、実施形態を１つの好ましい実施形態に限定するように意図されない。むしろ、本請求項によって定義されるような、説明される実施形態の精神および範囲内に含まれ得るような代替物、修正、ならびに均等物を網羅することが、意図される。
【００３２】
本開示は、画像を表示するために使用される、画像ディスプレイを対象とする。いくつかの実施形態によると、表示される画像は、画像ディスプレイに結合される画像媒体上に存在する。しかしながら、いくつかの実施形態では、表示される画像は、画像ディスプレイ自体の上に直接形成、例えば、印刷または塗装される。画像媒体は、紙、キャンバス、もしくはその上に画像が形成され得る材料であってもよい。例えば、写真用紙上に印刷された写真またはキャンバス上に印刷された画像は、画像媒体のタイプである。いくつかの実施形態によると、画像ディスプレイは、プラスチックであり、射出成型された構成要素から形成されてもよい。画像ディスプレイは、単一の射出成型片または動作可能に結合された複数の片から形成されてもよい。画像ディスプレイは、１つまたは複数の画像媒体を表示するための表面もしくは複数の表面を有してもよい。
【００３３】
キャンバスラップ等の「ギャラリーラップ」は、画像ディスプレイのある様式である。ギャラリーラップ様式は、画像ディスプレイの一部の周囲に巻着する画像媒体によって特徴付けられる。多くの場合、画像媒体は、画像ディスプレイの前面および側面を横断して延在し、画像ディスプレイの背面に固着される。ギャラリーラップ画像ディスプレイは、閲覧者に、画像のフレームのないディスプレイをもたらす。画像媒体を伴う長方形のギャラリーラップ画像ディスプレイが、実施例として使用されている。本実施例では、画像媒体は、ギャラリーラップ画像ディスプレイの前面、およびディスプレイの側面、例えば、上面、底面、左面、右面の周囲の画像ディスプレイラップの正面を越えて後方に延在する画像媒体の一部を越えて延在し、ディスプレイの背面に取り付けられる。画像媒体は、ステープル、接着剤、または他の手段を使用して、ギャラリーラップ画像ディスプレイの背面に取り付けられてもよい。
【００３４】
ギャラリーラップ画像ディスプレイの特有のラッピングは、その厚さが、フレームの外観を向上させ、画像媒体の巻着された性質を強調させるため、より厚い画像ディスプレイを望ましいものとする。典型的なギャラリーラップ画像ディスプレイの厚さは、少なくとも０．７５インチである。例えば、典型的なギャラリーラップディスプレイは、４分の３〜４インチの厚さであってもよい。いくつかのより大きなギャラリーラップ画像ディスプレイは、４インチの厚さを上回るものであってもよい。ギャラリーラップ画像ディスプレイの増加された厚さは、その特有の外観に寄与するが、本厚さはまた、製造および発送コストを増加させ得る。
【００３５】
ギャラリーラップ画像ディスプレイの製造は、製造業者に、画像媒体を平滑に巻着し、それを画像ディスプレイに取り付けることを要求する。画像媒体のギャラリーラップ画像支持部への取付における小さな過ちは、皺が寄ったまたは歪曲された画像媒体をもたらし得る。したがって、製造業者は、画像支持部、例えば、フレームの周囲に慎重に画像媒体を巻着し得る。これは、製造プロセスに、時間、したがって、コストを追加し得る。加えて、ギャラリーラップ画像ディスプレイを適切に製造するために要求される技能が、いくつかの供給業者に、顧客によって提供される家族写真等のカスタマイズされた画像をギャラリーラップ画像ディスプレイ上に提供したがらなくさせ得る。訓練コストまたは製造不良に起因する製品廃棄の可能性が、供給業者に、ギャラリーラップ画像ディスプレイを販売したがらなくさせ得る。
【００３６】
ギャラリーラップ画像ディスプレイ上にカスタマイズされた画像を提供する一部の供給業者は、製品を、中央場所から直接顧客に発送し得る。ギャラリーラップ画像ディスプレイの厚さは、発送コストを増加させ得る。ギャラリーラップ画像ディスプレイの厚さは、典型的には、発送用封筒より高い発送コストを有する箱が、ギャラリーラップ画像ディスプレイを発送するために必要であることを意味する。小さいギャラリーラップ画像ディスプレイでさえ、多くの場合、箱以外の容器で発送するためには厚すぎる。供給業者は、いくつかのギャラリーラップ画像ディスプレイを、例えば、定額封筒等の発送用封筒で発送することを望み得る。米国郵便公社によって提供されるもの等の定額封筒は、供給業者に、ギャラリーラップ画像ディスプレイを販売する際のさらなるコスト予測性を付与する。加えて、いくつかの実施による画像ディスプレイは、一括して発送されることができる。圧潰された性質のため、いくつかの実施形態による、伝統的なギャラリーラップより多くの画像ディスプレイが、単一の発送容器内に梱包され得る。小売り設定において、これは、発送コストを低減させるために寄与するだけではなく、画像ディスプレイにより小さい占有面積も与えることになる。より小さい占有面積は、画像ディスプレイが、店舗内のより少ない空間を占めるため、より多くの供給業者が、ギャラリーラップ画像ディスプレイ上のカスタマイズされた印刷物を販売することを望むであろうことを意味する。
【００３７】
最後に、高品質のギャラリーラップ画像ディスプレイを生産する製造要件が、画像ディスプレイ上の画像媒体の変更をより高価かつ時間がかかるものにする。画像ディスプレイ上の画像媒体を変更することを所望する消費者は、古い画像を除去し、次いで、画像媒体中に皺または他の歪曲が存在しないことを確実にするように、新しい画像を慎重に画像ディスプレイに取り付けなければならない。いくつかの状況では、顧客が、供給業者からカスタマイズされた画像を伴う新しい画像ディスプレイを発注することが、より便宜的である。古い画像媒体を伴う古い画像ディスプレイは、廃棄される。
【００３８】
本開示は、画像ディスプレイを対象とする。画像ディスプレイは、第１の圧潰された構成と、第２の組み立てられた構成とを有する。画像媒体の少なくとも一部は、画像ディスプレイの画像支持部に結合される。いくつかの実施形態では、組み立てられた構成において、画像媒体は、画像ディスプレイ支持部の周囲に巻着する。開示される画像ディスプレイのいくつかの実施形態は、ギャラリーラップ画像ディスプレイとして説明され得る。組み立てられた構成において、いくつかの実施形態は、伝統的なギャラリーラップのものに類似する、組み立てられた厚さを有してもよい。組み立てられた構成において、本明細書に開示される画像ディスプレイは、その組み立てられた厚さ未満の厚さを有する。例えば、本発明による画像ディスプレイは、圧潰された構成における画像ディスプレイの厚さのものの少なくとも２倍の組み立てられた厚さを有してもよい。画像ディスプレイは、圧潰された構成で発送されてもよい。これは、組み立てられた構成と比較して画像ディスプレイの厚さを低減させ、画像ディスプレイを郵送するコストを低減させる。加えて、低減された厚さは、画像ディスプレイの保管をより容易にし、より少ない空間を要求し得る。
【００３９】
画像媒体を画像ディスプレイに搭載する方法は、画像ディスプレイの圧潰された構成および組み立てられた構成を利用してもよい。いくつかの実施形態によると、画像媒体は、圧潰された構成において、画像ディスプレイの折曲可能区分上の媒体結合体に搭載されてもよい。画像ディスプレイが、組み立てられた構成にあるとき、画像媒体は、媒体結合体を介して画像ディスプレイを横断して緊張されるように引張される。このように、画像媒体は、接着剤またはステープルを使用することなく画像ディスプレイに結合される。画像媒体は、画像ディスプレイ上の媒体結合体と噛合し、画像媒体を画像ディスプレイに固着するように構成される、空隙または他の点を有してもよい。
【００４０】
図１は、いくつかの実施形態による、組み立てられた構成における画像ディスプレイ１００を示す。画像ディスプレイ１００は、画像支持部１０２を有する。画像支持部１０２は、略平面状であってもよく、正面から見られるとき、種々の形状を有してもよい。例えば、画像支持部１０２は、長方形（正方形を含む）、六角形、正多角形、または非正多角形であってもよい。図１に示されるように、画像支持部１０２は、略平面状である。いくつかの実施形態では、画像支持部１０２は、平面状ではなくてもよい。例えば、画像支持部１０２は、湾曲していてもよい。画像媒体１５０は、画像支持部１０２の前面上に搭載される、またはそれを横断して延在してもよい。画像支持部１０２は、中実表面であってもよく、または表面内に形成される１つまたは複数の空隙を有してもよい。例えば、画像支持部１０２は、略長方形であり、画像支持部１０２の中心に形成される略長方形の空隙を有してもよい。画像支持部１０２の長方形周界は、画像支持部１０２の中心に空隙を画定する。画像媒体１５０は、空隙を横断して画像支持部１０２の周界部分に延在し、それによって、空隙を被覆してもよい。これらの空隙は、画像支持部１０２がより少ない材料で製造され、それによって、画像ディスプレイ１００の製造コストを減少させることを可能にする。
【００４１】
画像ディスプレイ１００は、組み立てられた厚さ１２０を有してもよい。図１に示されるように、組み立てられた画像ディスプレイ１００は、組み立てられた厚さ１２０を有する。組み立てられた厚さ１２０はまた、画像ディスプレイ１００の奥行と呼ばれることができる。組み立てられた厚さ１２０は、画像ディスプレイ１００の最前縁および画像ディスプレイ１００の最後縁によって画定される。いくつかの実施形態によると、組み立てられた厚さ１２０は、画像ディスプレイ１００にわたって一様であってもよい。画像ディスプレイ１００はまた、画像ディスプレイ１００の圧潰された構成において圧潰された厚さ１２２を有してもよい。圧潰された厚さ１２２は、組み立てられた厚さ１２０未満である。圧潰された厚さ１２２は、組み立てられた厚さ１２０の少なくとも２分の１であってもよい。例えば、圧潰された厚さ１２２は、組み立てられた厚さ１２０の３分の１または４分の１であってもよい。例えば、組み立てられた厚さ１２０は、０．７５インチであってもよく、圧潰された厚さ１２２は、０．２５インチであってもよい。いくつかの実施形態では、圧潰された厚さ１２２は、０．２５インチまたはそれ未満であってもよい。図１は、組み立てられた厚さ１２０を示し、図２は、圧潰された厚さ１２２を示す。
【００４２】
図２は、一実施形態による、圧潰された構成における画像ディスプレイ１００の斜視図を示す。画像ディスプレイ１００は、画像支持部１０２の側面から延在する、１つまたは複数の折曲可能区分１０４を有する。図２に示されるように、折曲可能区分１０４は、２つの区画、すなわち、第１の区画１０６および第２の区画１０８を有することができる。図２には、２つの区画が、示されるが、折曲可能区分１０４は、より多いまたはより少ない区画を有することができる。折曲可能区分１０４は、種々の方法で画像支持部１０２に結合されてもよい。例えば、折曲可能区分１０４は、ヒンジ、スナップフィット接続、または他の取付機構によって画像支持部１０２に結合されてもよい。いくつかの実施形態では、折曲可能区分１０４は、圧潰された構成において、画像支持部１０２と別個であってもよい。いくつかの実施形態によると、折曲可能区分１０４は、画像支持部１０２に除去可能に結合されてもよい。いったん顧客が、画像支持部１０２を受け取ると、顧客は、折曲可能区分１０４を画像支持部１０２に結合してもよい。例えば、折曲可能区分１０４は、スナップフィット接続を使用して画像支持部１０２に結合されてもよい。スナップフィット接続は、組み立てられた画像ディスプレイ１００が圧潰または分解され得るように、除去可能であってもよい。例えば、組み立てられた画像ディスプレイ１００は、輸送のために開放または分解され、次いで、目的地において再度組み立てられてもよい。
【００４３】
他の実施形態では、折曲可能区分１０４もまた、画像支持部１０２および折曲可能区分１０４と別個であり、画像支持部１０２と折曲可能区分１０４との間に延在する可撓性シートによって、画像支持部１０２に結合されてもよい。シートは、折曲可能区分が画像支持部１０２に対して回転し得るように、画像支持部１０２と折曲可能区分１０４との間のリビングヒンジとして作用してもよい。
【００４４】
他の実施形態では、折曲可能区分１０４は、画像支持部１０２および折曲可能区分１０４と一体的に形成される１つまたは複数のリビングヒンジによって、画像支持部１０２に結合されてもよい。リビングヒンジは、画像支持部１０２と折曲可能区分１０４との間に延在するであろう。同様に、第２の区画１０８は、第１の区画１０６を画像支持部１０２に結合するための、上記に説明される実施形態の任意のものを介して、第１の区画１０６に回転可能に結合されることができる。
【００４５】
画像ディスプレイ１００はまた、折曲可能区分１０４のうちの１つまたは複数のものに結合される、懸吊支持部１４２を有してもよい。懸吊支持部１４２は、組み立てられた構成において、顧客が画像ディスプレイ１００を便宜的に懸吊することを可能にし得る。懸吊支持部１４２は、折曲可能区分１０４から延在し、画像ディスプレイ１００が懸吊されるであろう壁から延在する、掛止部または他の支持部に係合するように構成されてもよい。いくつかの実施形態では、懸吊支持部１４２は、懸吊支持部１４２内の陥凹部または空隙において、壁から延在する掛止部もしくは他の支持部に係合するように構成される。壁から延在する掛止部または他の支持部は、陥凹部を通してもしくは空隙の中に通過し、画像ディスプレイ１００が懸吊支持部１４２によって懸吊され得るように懸吊支持部１４２に係合してもよい。いくつかの実施形態では、懸吊支持部１４２は、複数の折曲可能区分１０４の１つの第２の区画１０８に結合される、またはそれと一体化されている。
【００４６】
図３に示されるように、折曲可能区分１０４の第１の区画１０６は、ヒンジ１２４によって画像支持部１０２に結合されてもよい。ヒンジ１２４は、第１の区画１０６が画像支持部１０２に対して回転することを可能にする。例えば、ヒンジ１２４は、第１の区画１０６が画像支持部１０２に対して９０度回転することを可能にする。折曲可能区分１０４の第２の区画１０８は、第１の区画１０６のそれぞれに結合されてもよい。図３に示されるように、第２の区画１０８はまた、ヒンジ１２４によって第１の区画１０６に結合されてもよい。しかしながら、第２の区画１０８はまた、例えば、接着剤またはスナップフィット接続等による、いくつかの回転可能および回転不可能な方法で、第１の区画１０６に結合されてもよい。ヒンジ１２４は、第１の区画１０６に対する第２の区画１０８の回転を可能にする。いくつかの実施形態では、ヒンジ１２４は、リビングヒンジであってもよい。
【００４７】
折曲可能区分１０４の区画は、種々の形状を有してもよい。いくつかの実施形態では、形状は、隣接する区画または隣接する折曲可能区分１０４の間における視覚的に訴える噛合を促進する。例えば、図３に示されるように、第２の区画１０８は、台形形状を有し、角度付けられた角１２８を有する。組み立てられると、隣接する第２の区画１０８の角度付けられた角１２８が、衝合する。
【００４８】
画像ディスプレイ１００は、画像媒体１５０を表示してもよい。画像媒体１５０は、画像、例えば、写真、イラスト、絵画、図面、または同等物を有する任意の媒体であってもよい。画像媒体１５０は、紙、キャンバス、プラスチック、金属、または他の材料から作製されてもよい。画像媒体１５０は、ある程度の可撓性を伴う弾性材料、例えば、キャンバスであり得る。画像媒体１５０は、種々の方法で画像ディスプレイ１００に結合されてもよい。例えば、画像媒体１５０は、接着材料を使用して画像ディスプレイ１００に接着されてもよい。いくつかの実施形態では、画像媒体１５０は、一方の側面上に画像を受容し、他方の側面上に接着剤を有するように構成されてもよい。いくつかの実施形態では、接着剤は、剥離紙によって被覆されてもよい。接着剤を被覆する剥離紙は、画像が画像媒体１５０上に印刷された後、画像媒体１５０が、次いで、画像ディスプレイ１００の一部、例えば、画像支持部１０２に接着され得るように除去されてもよい。
【００４９】
画像支持部１０２に結合された部分に加え、またはその代替として、画像媒体１５０の一部もまた、折曲可能区分１０４に結合されてもよい。いくつかの実施形態では、画像媒体１５０は、画像ディスプレイ１００の対応する一部と噛合するように構成される、事前に形成された空隙１５２または他の構造を有してもよい。図４は、いくつかの実施形態による画像媒体１５０を示す。示されるように、画像媒体１５０は、画像ディスプレイ１００上の媒体結合体１４０と噛合するように構成される、空隙１５２を有する。画像が画像媒体上に印刷される前に、空隙１５２が、画像媒体１５０内に形成されてもよい。いくつかの実施形態では、画像が画像媒体１５０上に印刷された後、空隙１５２が、形成されてもよい。このように、画像媒体１５０は、接着剤またはステープルを使用することなく、画像ディスプレイ１００に結合され得る。いくつかの実施形態によると、画像媒体１５０は、画像ディスプレイ１００に迅速に結合され得る。本構成はまた、同一画像ディスプレイ１００上における異なる画像媒体１５０の迅速な交換を可能にする。また、接着剤またはステープルを使用しないことは、画像媒体１５０が再利用可能であることを可能にし得る。
【００５０】
いくつかの実施形態では、圧潰された構成において、画像媒体１５０が、画像ディスプレイ１００に結合される。いくつかの実施形態では、組み立てられた構成において、画像媒体１５０が、画像ディスプレイ１００に結合される。画像媒体１５０が、圧潰された構成において画像ディスプレイ１００に結合されると、画像ディスプレイ１００が組み立てられた構成に配列されるにつれて、画像媒体１５０が、画像ディスプレイ１００を横断して伸展される。いくつかの実施形態では、画像媒体１５０を伴う画像ディスプレイ１００は、接着剤またはステープルを使用することなく組み立てられることができる。例えば、媒体結合体１４０が、折曲可能区分１０４から延在し、画像媒体１５０内の空隙１５２の中に延在するように構成されてもよい。空隙１５２は、画像媒体１５０内、すなわち、それぞれの媒体結合体１５０の場所に対応する空隙１５２の場所に精密に位置するように定寸されるプレス加工部を伴って形成されてもよい。いくつかの実施形態では、媒体結合体１４０は、折曲可能区分１０４上に一体的に形成された、射出成型片である。いくつかの実施形態では、媒体結合体１４０は、折曲可能区分１０４に取り付けられ、画像媒体１５０を画像ディスプレイ１００に結合する、別個の片であってもよい。媒体結合体１４０および空隙１５２は、画像媒体１５０上の空隙１５２を画像ディスプレイ１００上の媒体結合体１４０と整合させるステップが、画像媒体１５０を画像ディスプレイ１００上で心合させるように構成されてもよい。これは、画像媒体１５０がより迅速に画像ディスプレイ１００上に搭載され、一貫した品質のギャラリーラップを生産することを可能にする。
【００５１】
いくつかの実施形態では、媒体結合体１４０はまた、挟着部材であってもよい。挟着部材は、画像媒体１５０を穿刺してもよく、画像ディスプレイ１００の一部と噛合するように構成される。例えば、挟着部材は、折曲可能区分１０４上に位置する画像媒体１５０の周界を突刺するように構成される突出部を有する、別個の片であってもよい。挟着部材は、画像媒体１５０を折曲可能区分１０４上の定位置に保持する。
【００５２】
図１１−１３は、画像媒体１３０を画像ディスプレイ１００に取り付けるための別の実施形態を図示する。図示される実施形態では、媒体結合体１４０が、折曲可能区分１０４のそれぞれの部分に固着されるように構成される、１つまたは複数の結合プレート１５６上に配置される。例えば、画像ディスプレイ１００は、折曲可能区分１０４の第２の区画１０８毎にプレート１５６を含むことができる。図１１に最も詳細に示されるように、媒体結合体１４０は、プレート１５０から延在し、遠位端において留め金１５８を含む。第２の区画１０８は、結合体１４０を受容するように構成される、空隙１５６を画定する。留め金１５８は、第２の区画１０８との干渉または摩擦嵌合を作成し、それによって、結合プレート１５６を第２の区画１０８に固着するように構成される。結合プレート１５６を使用して画像媒体１３０の一部を画像ディスプレイ１００に固着するために、画像媒体１３０上の空隙１５２が、第２の区画１０８によって画定される空隙１５６と整合される。結合プレート１５６上の結合体１４０は、次いで、空隙１５２（および空隙１５６）と整合され、留め金１５８が、（例えば、スナップフィットを介して）第２の区画１０８に係合し、それによって、結合プレート１５０ならびに画像媒体１３０を第２の区画１０８、したがって、画像ディスプレイ１００に固着するまで、空隙１５６の中に挿入される。画像媒体１３０は、結合プレート１５６と第２の区画１０８との間に挿入され、画像媒体１３０内の空隙１５２を通した結合具部材１４０の挿入は、画像媒体１３０が、結合プレート１５６と第２の区画との間から外に引き出されないように防止する。
【００５３】
図１２および１３は、ある実施形態による、結合プレート１５６の側面図と、平面図とを図示する。図１２および１３が４つの結合体１４０を伴う結合プレート１５６を図示するが、結合プレート１５６は、４つ未満またはそれを上回る結合体１４０を含むことができる。
【００５４】
いくつかの実施形態では、画像媒体１３０の縁毎に、結合プレート１５６が、存在する。いくつかの実施形態では、各結合プレート１５６は、それぞれの第２の区画１０８のほぼ全長に沿って延設される。他の実施形態では、各結合プレート１５６は、それぞれの第２の区画１０８の長さの一部のみに沿って延設される。
【００５５】
いくつかの実施形態によると、画像ディスプレイ１００の画像支持部１０２および折曲可能区分１０４の相対位置は、組み立てられた構成において、係止機構１１０を使用して維持されてもよい。例えば、係止機構１１０は、折曲可能区分１０４を画像支持部１０２に固着してもよい。係止機構１１０はまた、折曲可能区分１０４の区画を相互に固着してもよい。例えば、係止機構１１０は、第２の区画１０８を第１の区画１０６に固着し、それによって、それぞれの相対位置を維持してもよい。係止機構１１０は、画像ディスプレイ１００の一部を係止し、それによって、対応する部分がともに係止された後、回転を制限してもよい。例えば、第１の区画１０６は、ヒンジ１２４によって画像支持部１０２に結合されてもよい。係止機構１１０は、第１の区画１０６がもはやヒンジ１２４を中心として回転しないように、第１の区画１０６を画像支持部１０２と回転可能に係止してもよい。したがって、係止機構１１０は、画像支持部１０２に対する第１の区画１０６の配向を固定する。画像支持部１０２上の係止機構１１０および第１の区画１０６上の係止機構１１０は、折曲区分１０４が画像ディスプレイ１００の組み立てられた構成に組み立てられると、相互に動作可能に係合するように構成される。係止機構１１０は、任意のタイプの係止部であってもよい。例えば、図５に示されるように、係止機構１１０は、スナップフィットコネクタまたは任意の他のタイプの干渉嵌合コネクタであってもよい。他の実施形態では、係止機構１１０は、摩擦嵌合コネクタであってもよい。いくつかの実施形態では、係止機構１１０は、画像ディスプレイ１００の異なる部分上の２つの別個の構成要素から作製される。係止機構１１０のこれらの２つの部分は、噛合し、２つの部分をともに回転可能に係止する。画像ディスプレイ１００はまた、また、第１の区画１０６および第２の区画１０８を相互に回転可能に係止する、係止機構１１０を含んでもよい。例えば、第１の区画１０６上の係止機構１１０および第２の区画１０８上の係止機構１１０は、折曲区分１０４が画像ディスプレイ１００の組み立てられた構成に組み立てられると、相互に動作可能に係合するように構成される。
【００５６】
図５は、部分的なアセンブリ構成における、画像ディスプレイ１００の背面斜視図を示す。図５に示されるように、画像ディスプレイ１００は、画像ディスプレイ１００の一部を横断して延在する、補強構造１５４を含んでもよい。補強構造１５４は、画像ディスプレイ１００の一部の堅性を増加させ得る。補強構造１５４は、図５に示されるもの等の格子構造を形成する、複数のリブであってもよい。図５は、画像ディスプレイ１００の角１３０を形成する、第２の区画１０６を示す。図６は、図５の線６−６’に沿って得られる、画像ディスプレイ１００の部分断面図を示す。
【００５７】
いくつかの実施形態によると、画像ディスプレイ１００は、ヒンジ１２４を中心として折曲可能区分１０４を回転させ、画像支持部１０２と係止し（すなわち、折曲可能区分１０４の一部上の係止機構１１０を、画像支持部１０２上の対応する係止機構１１０と動作可能に係合させる）、折曲可能区分１０４の区画を相互と係止する（すなわち、折曲可能区分１０４の１つの区画上の係止機構１１０を、折曲可能区分１０４の他の区画上の対応する係止機構１１０と動作可能に係合させる）ことによって、組み立てられてもよい。画像ディスプレイ１００を組み立てられた構成（例えば、図６示されるような）に組み立てるために、第１の区画１０６上の係止機構１１０が、画像支持部１０２上の対応する係止機構１１０と動作可能に係合し、それによって、第１の区画１０６の位置を画像支持部１０２に対して係止させるように、第１の区画１０６が、画像支持部１０２に対して回転される。図６は、スナップフィットコネクタとしての係止機構１００を示す。スナップフィットコネクタは、留め金１１３と、留め金搭載部１１１とを有する。留め金１１３が、第１の区画１０６から延在し、画像支持部１０２から延在する留め金搭載部１１１と係止するように構成される。同様に、留め金１１３は、第２の区画１０８から延在し、第２の区画１０８がヒンジ１２４を中心として回転されると、第１の区画１０６から延在する留め金搭載部１１１と係止するように構成される。
【００５８】
係止機構１１０は、係止角度１５５で、第２の区画１０８を第１の区画１０６に係止させる。係止角度１５５は、種々の角度であってもよい。係止角度１５５はまた、係止ラチェットシステムを使用する可変型であってもよい。例えば、留め金１１３を留め金搭載部１１１内の第１の切り欠きに接続するステップは、２つの区画を４５度の角度に係止させ得る。留め金１１３を留め金搭載部内の第２の切り欠きに前進させるステップは、２つの区画を９０度の角度に係止させ得る。また、第３の切り欠きは、２つの区画が１２０度の角度に係止されることを可能にする。同じことが、折曲可能区分１０４と画像支持部１０２との間の角度関係に関しても当てはまる。図６は、区画を９０度の係止角度１５５に係止させる係止機構１１０を示す。
【００５９】
画像ディスプレイ１００のいくつかの実施形態では、画像支持部１０２が、第２の区画１０８に結合されてもよい。例えば、図７に示される、ある実施形態による画像ディスプレイ１００の部分的横断面のように、画像支持部１０２は、第２の区画１０８に結合されてもよい。これらおよび他の実施形態では、空隙１１５が、接続留め金が通過し、留め金搭載部１１１に係合する第２の区画１０８に位置してもよい。図７に示されるもののような実施形態では、可撓性部材３０２が、画像支持部１０２を第１の区画１０６に、かつ第１の区画１０６を第２の区画１０８に結合してもよい。可撓性部材３０２は、その周囲で第１の区画１０６が画像支持部１０２に対して回転し得、かつ第２の区画１０８が第１の区画１０６に対して回転し得る、リビングヒンジとして作用する。可撓性部材３０２は、図７に示されるような、例えば、支持部１０２、第１の区画１０６、および第２の区画１０８の表面に接着される、可撓性のポリマーシートであり得る。いくつかの実施形態では、可撓性部材３０２は、他のタイプのヒンジ、例えば、本願の他所で説明されるヒンジ１２４と置換されてもよい。図７はまた、画像支持部１０２および第２の区画１０８から延在する、突出部材３０４を示す。突出部材３０４は、組み立てられた構成に折曲されると、画像ディスプレイ１００の構成要素の整合を補助し得る。
【００６０】
図９は、画像ディスプレイ１００に搭載された画像媒体１５０を示す。画像媒体１５０を用いて画像ディスプレイ１００を組み立てるために、ユーザは、圧潰された構成において、画像ディスプレイ１００上に画像媒体１５０を重ねてもよい。画像媒体１５０の空隙１５２が、１つまたは複数の媒体結合体が空隙１５２を通して延在するように、媒体結合体１４０と整合される。いったん画像媒体１５０が画像ディスプレイ１００上に位置すると、折曲可能区分１０４は、組み立てられた構成に折曲され得る。組立プロセスの間、画像媒体１５０は、画像支持部１０２を横断して伸展される。これは、画像媒体１５０を緊張させるように引張し得る。すなわち、それは、歪曲を有しておらず、平坦である。画像媒体１５０における張力はまた、画像媒体１５０を画像媒体結合体１４０に固着することに役立つ。媒体結合体１４０は、Ｔ字形であり、画像媒体１５０を保定し、画像媒体１５０が折曲可能区分１０４から分離しないように防止するように構成される、上側フランジを有してもよい。
【００６１】
図９内の破線は、画像媒体１５０下における折曲可能区分１０４の場所を示す。実践では、折曲可能区分１０４は、画像媒体１５０によって隠蔽されるであろうが、図９では、明確化のために示される。図１０は、組み立てられた構成における、図９からの画像ディスプレイを示す。組み立てられた構成において、折曲可能部材は、それらが画像支持部１０２（図示せず）の後方に存在するように回転される。これは、画像媒体１５０を伴う画像ディスプレイ１００にギャラリーラップの外観を与える。
【００６２】
図９および１０に示されるもののようないくつかの実施形態では、圧潰された構成において、画像媒体１５０が、画像ディスプレイ１００に結合されてもよい。画像ディスプレイが圧潰された構成であるとき、画像ディスプレイ１００は、画像媒体１５０がそれに結合された状態で発送されてもよい。いくつかの実施形態では、画像媒体１５０は、画像媒体１５０から別個に発送されてもよい。いくつかの実施形態では、画像ディスプレイ１００は、発送の後、圧潰された状態から組み立てられてもよい。画像ディスプレイ１００を圧潰された構成で発送することは、画像ディスプレイ１００の幅が低減されているため、画像ディスプレイ１００の発送コストを低減させることができる。
【００６３】
いくつかの実施形態では、供給業者は、販売のためのカスタマイズされたギャラリーラップを提供してもよい。供給業者は、インターネットを経由してまたはキオスク店舗において、顧客から画像を受け取ってもよい。供給業者は、画像媒体１５０上に画像を印刷してもよい。いったん印刷されると、供給業者は、画像媒体１５０を画像ディスプレイ１００上に位置させてもよい。画像媒体１５０の空隙１５２は、媒体結合体１４０と整合するように位置してもよい。いったん画像媒体１５０が画像ディスプレイ１００上に位置すると、折曲可能区分１０４は、折曲され、画像媒体１５０を緊張されるように引張してもよい。本方法は、供給業者がカスタマイズされたギャラリーラップを生産し、品質および一貫性を改善するために必要とする時間を低減させる。加えて、本明細書に開示されるもののような折曲可能な画像ディスプレイを使用することは、供給業者が、店内に複数の画像ディスプレイを保管しながら、より少ない空間を占めることを可能にする。これは、供給業者が、カスタマイズされたギャラリーラップをより少ない時間で販売のために利用可能にすることを可能にする。
【００６４】
本明細書に説明される具体的な実施形態の前述の説明は、例証および説明ために提示される。これらの例示的実施形態は、包括的である、または実施形態を開示される精密な形態に限定するようには意図されない。説明される具体的な詳細が全て、説明される実施形態を実践するために要求されるわけではない。
【００６５】
多くの修正および変形例が、上記の教示に照らして可能であり、当業者の知識を提供することによって、本発明の一般的な概念から逸脱することなく、過度の実験をすることなく、そのような具体的な実施形態を、種々の用途のために容易に修正ならびに／もしくは適合するし得ることが、当業者に明白となるであろう。そのような適合および修正は、本明細書に提示される教示ならびに指針に基づいて、開示される実施形態の均等物の趣意および範囲内であることが意図される。
【００６６】
発明を実施するための形態の節は、請求項を解釈するために使用されることが意図される。発明の概要および要約の節は、発明者によって考慮されるような、１つまたは複数であるが全てではない本発明の例示的実施形態を記載し、したがって、本発明ならびに請求項を限定するように意図されない。
【００６７】
本明細書において使用される語法または専門用語は、本明細書の専門用語または語法が当業者によって解釈され得るような説明の目的のためのものであり、限定の目的のためのものではない。
【００６８】
本発明の範疇および範囲は、上記に説明される例示的実施形態のうちのいずれかによって限定されるべきではなく、本請求項ならびにその均等物によってのみ定義されるべきである。
【図１】
2021515251.tif 000003
【図２】
2021515251.tif 000004
【図３】
2021515251.tif 000005
【図４】
2021515251.tif 000006
【図５】
2021515251.tif 000007
【図６】
2021515251.tif 000008
【図７】
2021515251.tif 000009
【図８】
2021515251.tif 000010
【図９】
2021515251.tif 000011
【図１０】
2021515251.tif 000012
【図１１】
2021515251.tif 000013
【図１２】
2021515251.tif 000014
【図１３】
2021515251.tif 000015
【国際調査報告】
2021515251.tif 000016